(57)【要約】【課題】コネクターの使用寿命を高め、多点アースを形成する電子カードコネクターを提供する。【解決手段】プラスチック本体１は、ベース部１１を含む。ベース部１１は複数の端子１１３ｂを嵌設し、電気で差し込んだ電子カード３を連接している。ベース部１１の両側には側アーム１２が突伸されている。二つのアースエレメント２には、ベース部１１の両側に嵌置れ、回路板のアース回路と連接される。各アースエレメント２にはＵ字形断面段２５が突設され、一体で板体２１上に連伸され、対応してプラスチック本体１の側アーム１２を中に包み挟んでおり、段の側アーム１２の強度を補強する。【選択図】　　図２
0003098349.tif 000002
【実用新案登録請求の範囲】
【請求項１】
一つのプラスチック本体と二つのアースエレメントとを備える電子カードコネクターであって、
該プラスチック本体は、一つのベース部を含み、該ベース部は多数個の端子を嵌設し、電気で差し込んだ電子カードを連接して、ベース部の両側に個別に一つの側アームが突伸して設けられ、
該二つのアースエレメントは、個別に該ベース部の両側に嵌置かれて、並びに一つの回路板のアース回路と連接し、各該アースエレメントは個別に一つのＵ字形断面段が突設されていて、一体で板体上に連伸し、対応して該プラスチック本体の側アームを中に包み挟んでおり、段の側アームの強度を補強することを特徴とする電子カードコネクター。
【請求項２】
各該アースエレメントは、金属板で一体にプレス成形した一つの板体と、一つの嵌接部と、一枚のアースガイド板と、一枚のアースバネ板と、一つのＵ字形断面段と、一本の鉤アームと、一つの第一定位部及び一つの第二定位部とを含み、
一つの嵌接部は、該板体の前縁から前に向って突伸し、並びに該嵌接部の側板縁につめ歯を突設して、該プラスチック本体の嵌穴の中に固く嵌込まれ、
該アースガイド板は、該板体の一つの側板縁から下に向って湾曲して延伸し、半田で一つの回路板のアース回路上に連接され、
該アースバネ板は、該板体の板縁から後と上に向って一つの自由端になって、傾斜向きに突伸し、
該Ｕ字形断面段は、一体で該板体上に連伸して、対応して該プラスチック本体の側アームを中に包み挟んでおり、段の側アームの強度を補強し、
該鉤アームは、一体で該Ｕ字形断面段から後に向って延伸し、該鉤アームの未段に一つの鉤部を形成して、対応して該側アームの末端の鉤穴に掛け込まれ、
該第一定位部は、該鉤アームの側縁から下に向って湾曲して延伸し、該第二定位部は、該鉤アームの側縁から下に向って湾曲して延伸していることを特徴とする請求項１記載の電子カードコネクター。
【請求項３】
各該アースエレメントは、一つの突き止め肩を設けて該プラスチック本体の一つの肩部の外側に貼り寄せることを特徴とする請求項１記載の電子カードコネクター。
【請求項４】
各該アースエレメントの第一定位部、二定位部上には、個別に補強肋を形成することを特徴とする請求項２記載の電子カードコネクター。
【請求項５】
各該アースエレメントの第一定位部の外側板面はガイド斜面であり、電子カードをスムーズに該電子カードコネクターの中にガイドしてはめ込むことを特徴とする請求項２記載の電子カードコネクター。
【請求項６】
該プラスチック本体の各側縁の内側の底縁に一つの凹み溝が凹設されていて、該アースエレメントのＵ字形断面段の自由段の底縁を中にはめ込むことを特徴とする請求項２記載の電子カードコネクター。
【考案の詳細な説明】
【０００１】
【考案の属する技術分野】
本考案は電子カードコネクターに関し、特にコネクターのプラスチック本体の両側に個別にアースエレメントを嵌接し、各該アースエレメントに個別にＵ字形断面段を設けて、該Ｕ字形断面段に対応に該プラスチック本体の側アームを中に包み挟んでおり、該段の側アームの強度を補強するものに関する。
【０００２】
【従来の技術】
現在、一般に電子カードの連接に応用されているコネクターは、図１に示すとおりであり、このコネクターは下記のものを含む。プラスチック本体９１、該プラスチック本体９１のベース部は並列に多数の端子９１１を嵌設して、電気で差し込んだ電子カードを連接する。該プラスチック本体９１の両側には個別に側アーム９１２を突伸している、及び二枚の固定バネ板９２、各該固定バネ板９２は差し板９２１を含み、対応して該プラスチック本体９１の中に嵌入し、且つ該固定バネ板９２の径向きに側壁９２３を突伸して、該プラスチック本体９１の側アーム９１２の外側に貼寄せて、該プラスチック本体９１の側アーム９１２を補強する。使用状態で電子カードを取り出した時の両側アーム９１２、９１２の外に向って広げるために生じた両側アーム９１２、９１２が断裂する可能性を下げる。他に該固定バネ板９２は下に向って接合板９２２を突伸して、回路板の表面に貼り付けする。
【０００３】
【考案が解決しようとする課題】
しかしながら、上記で述べたようにこのコネクターは以下のような欠点がある。
１．固定バネ板９２の差し板９２１を側アーム９１２の差し穴９１３に差し付ける過程中では、プラスチック本体９１の側アーム９１２は、非常に長い吊りアーム状になっており、尚且つプラスチックの材質であるので、その構造は極めてもろくて、容易に断裂する。
２．使用の状態では、該プラスチック本体９１の側アーム９１２は長い吊りアーム状のプラスチック材質であるので、その構造は極めてもろい。電子カードを取り出す過程中では、必ずこの構造が非常にもろい両側アーム９１２、９１２を各別に外に向けて開き出すので、極めて容易に施力の不当によって、両側アーム９１２、９１２に断裂をきたし、使用寿命を損害する。
３．各固定バネ板９２は適当なるアースの構造がなく、差し込んだ電子カードと接触して回路を構成することができないので、容易に電子カードの信号輸出の品質に影響する。
４．固定バネ板９２の差し板９２１をプラスチック本体９１の差し穴９１３に差し込む過程中では、固定バネ板９２の差し板９２１は極めて容易に差し歪み、接合板９２２もともなって偏差して規格外れになって、これによって接合板９２２と下側の回路板（図では示していない）は正確に接触することができず、接触不良になる。但し生産者は事前にこのような接触不良を知ることができない。このように固定バネ板９２が偏差してプラスチック本体９１に差し込んだ後で回路板と一緒に表面粘着加工を行った時は、接触不良の不良品になる。
【０００４】
本考案は上記の欠点を解決するためになされたものであり、プラスチック本体で、その両側に個別にアームと、二つのアースエレメントは各Ｕ字形断面段がある、及びアースバネ板、アースガイド板と二つの定位部を含む電子カードコネクターの構成でコネクターの使用寿命を高め、多点アースを形成する電子カードコネクターを提供することにある。
【０００５】
【課題を解決するための手段】
本考案の電子カードコネクターは、一つのプラスチック本体と二つのアースエレメントとを備える電子カードコネクターであって、該プラスチック本体は、一つのベース部を含み、該ベース部は多数個の端子を嵌設し、電気で差し込んだ電子カードを連接して、ベース部の両側に個別に一つの側アームが突伸して設けられ、該二つのアースエレメントは、個別に該ベース部の両側に嵌置かれて、並びに回路板のアース回路と連接し、各該アースエレメントは個別にＵ字形断面段が突設されていて、一体で板体上に連伸し、対応して該プラスチック本体の側アームを中に包み挟んでおり、段の側アームの強度を補強することを特徴とする。
【０００６】
【考案の実施の形態】
以下、本考案の実施例を図面に基づいて説明する。
図２から１３図をご参照ください。本実施例は電子カードコネクター１００であって、下記のものを含む。プラスチック本体１、該プラスチック本体１は、ベース部１１を含み、該ベース部１１の両側は個別に側アーム１２を突設する。両アースエレメント２、該アースエレメント２は個別に該プラスチック本体１の両側に嵌置れて並びに回路板４のアース回路と連接し、各該アースエレメント２は、個別にＵ字形断面段２５を設けて、一体で該板体２１に連伸して、対応で該プラスチック本体１の側アーム１２を段の中に包み挟んでおり、該段の側アーム１２の強度を補強する。
【０００７】
図２から８をご参照ください。本実施例のプラスチック本体１は、一体成形で下記のものを含む。ベース部１１、該ベース部１１の一側に差し穴１１１を凹み設けて、丁度よく電子カード３の前縁を差し込んであり、並びに該差し穴１１の上、下の両側に個別に並列に多数個の端子穴１１２ａ、１１２ｂを差し設けて、個別に端子１１３ａ、１１３ｂを中に嵌め置いて、各該端子１１３ａ、１１３ｂによって電気で差し込んだ電子カード３の回路を連接する。両側アーム１２は該ベース部１１の両側に突伸する、及び両嵌込穴１３は、該ベース部１１から中に向って凹設し、丁度よくアースエレメント２の嵌接部２２を中に嵌込む。
【０００８】
図２、３、１０から１３をご参照ください。本実施例のアースエレメント２は、金属板材の一体のプレス成形であり、下記のものを含む。板体２１、嵌接部２２は、該板体２１の前縁から前に向って突伸し、並びに該嵌接部２２の側板縁に最少１つのつめ歯２２１を突設して、該プラスチック本体１の嵌穴１３の中に固く嵌込む。アースガイド板２３は、該板体２１の側板縁から下に向って彎曲して、延伸し、半田で回路板４のアース回路に連接する。アースバネ板２４は、該板体２１の板縁から後、上に向って自由端の傾斜向きに突伸する。Ｕ字形断面段２５は、一体で該板体２１上に連伸して、対応で該プラスチック本体１の側アーム１２中段を中に包み挟んでおり、該段の側アーム１２の強度を補強する。鉤アーム２６は、一体で該Ｕ字形断面段２５から後に向って延伸して、該鉤アーム２６の未段に鉤部２６１を形成して、対応に該側アーム１２の末端の鉤穴１２１に掛け込む。第一定位部２７は、該鉤アーム２６の側縁から下に向って湾曲して延伸する、及び第二定位部２８は、該鉤アーム２６の側縁から下に向って湾曲して延伸する。
【０００９】
上記で示したアースエレメント２は、その中の該板体２１の一側に、尚突き肩２９を突設して、該プラスチック本体１の肩部１４の外側に貼り寄せる。
図４、５、１１から１３をご参照ください。本実施例が示すアースエレメント２は、その中の該第一、二定位部２７、２８は、個別に最少の補強肋２７１、２８１を形成することができ、又、該第一定位部２７の外側板面はガイド斜面２７２になっていて、電子カード３をガイドしてスムースに該コネクター１００の中に嵌め込む。
【００１０】
本実施例が示した電子カードコネクター１００は、その中の該プラスチック本体１の各側アーム１２の内側底縁は、尚凹溝１２２を凹設して、丁度よく該アースエレメント２のＵ字形断面段２５の自由段の底縁を中にはめこんであり、該Ｕ字形断面２５を固く該側アーム１２の両側に包み挟むことができる。
本実施例が示した電子カードコネクター１００は、使用者が電子カード３を差し込んだ時は、その該アースエレメント２のアースバネ板２４は、弾性的に該電子カード３の底部のアース接点３１に突き貼り、そして該第一定位部２７は、該電子カード３の頂面のアース接点３２に突き寄せ、同時に該電子カード３の上に向って跳び離れるのを妨げる、又、該第二定位部２８は、対応して該電子カード３の定位穴３３の中に延び置かれて、該電子カード３が後に向って脱出するのを妨げる。これによって本実施例の電子カードコネクター１００と差んだ電子カードは多点アースを形成し、該電子カード３の信号伝送を更に安定させる。
【００１１】
本実施例の電子カードコネクター１００は下記の特徴と伏点がある。
１．該プラスチック本体１の両側の側アーム１２の最ももろくて弱い所は、アースエレメント２のＵ字形断面段２５によって包まれているので、有効に各側アーム１２の断裂問題を避けることができ、使用寿命を増進することができる。
２．各該アースエレメント２は個別にアースバネ板２４と、第一定位部２７があって、電子カード３の対応の底部のアース接点３１と頂面アース接点３２に固く張り付いて、多点式の接触になって、確実に該電子カード３とアースを完成する。
３．各該アースエレメント２の第一、二定位部２７、２８は、差し込んだ電子カード３の安定した定位を行う外に、又、アース回路の接点に成ることができる。
本考案が示した構造、形状は、本考案の精神及び範疇内にて修正して応用することができ、制限されるものでないことを付き加えて申明する。
【図面の簡単な説明】
【図１】周知の電子カードコネクターの局部を示す分解図である。
【図２】本考案の実施例による電子カードを示す分解図である。
【図３】本考案の実施例による電子カードコネクターを示す概略図である。
【図４】本考案の実施例による電子カードコネクターのアースエレメントを示す概略図である。
【図５】本考案の実施例による電子カードコネクターのアースエレメントを別の方向から見た概略図である。
【図６】本考案の実施例による電子カードコネクターを示す平面図である。
【図７】図６に示す７−７方向の断面図である。
【図８】図６に示す８−８方向の断面図である。
【図９】図６に示す９−９方向の断面図である。
【図１０】図６に示す１０−１０方向の断面図である。
【図１１】図６に示す１１−１１方向の断面図である。
【図１２】本考案の実施例による電子カードコネクターのアースエレメントを示す底面図である。
【図１３】本考案の実施例による電子カードコネクターのアースエレメントを示す側面図である。
【符号の説明】
１００　　電子カードコネクター
１　　プラスチック本体
１１　　ベース部
１１１　　差し穴
１１２ａ　　端子穴
１１２ｂ　　端子穴
１１３ａ　　端子
１１３ｂ　　端子
１２　　側アーム
１２１　　鉤穴
１２２　　凹み溝
１３　　嵌込穴
１４　　肩部
２　　アースエレメント
２１　　板体
２２　　嵌接部
２２１　　つめ歯
２３　　アースガイド板
２４　　アースバネ板
２５　　Ｕ字形断面段
２５１　　底縁
２６　　鉤アーム
２６１　　鉤部
２７　　第一定位部
２７１　　補強肋
２７２　　ガイド斜面
２８　　第二定位部
２８１　　補強肋
２９　　突き肩
３　　電子カード
３１　　底部アース接点
３２　　頂面アース接点
３３　　定位穴
４　　回路板
【図１】
0003098349.tif 000003
【図２】
0003098349.tif 000004
【図３】
0003098349.tif 000005
【図４】
0003098349.tif 000006
【図５】
0003098349.tif 000007
【図６】
0003098349.tif 000008
【図７】
0003098349.tif 000009
【図８】
0003098349.tif 000010
【図９】
0003098349.tif 000011
【図１０】
0003098349.tif 000012
【図１１】
0003098349.tif 000013
【図１２】
0003098349.tif 000014
【図１３】
0003098349.tif 000015